(57)【要約】【課題】本発明は、広告視聴率、広告視聴効果を高めた広告情報を再生表示させる広告情報配信システム、および広告情報配信方法を提供することを目的とする。【解決手段】携帯電話装置は、位置情報を検知し、検知された位置情報を行動履歴保持ファイルに記憶し、記憶された行動履歴保持ファイルを端末装置に送信し、端末装置は、送信された行動履歴保持ファイルを受信し、受信された行動履歴保持ファイルを記憶し、記憶された行動履歴保持ファイルをディレクトリサーバ装置に送信し行動履歴保持ファイルに含まれる位置情報に対応する店舗ＩＤを取得し、取得された店舗ＩＤを店舗広告情報配信サーバ装置に送信し、店舗ＩＤに対応する広告情報およびクーポン情報を取得し、取得された広告情報およびクーポン情報を記憶し、記憶された広告情報を再生して表示装置に表示し、再生された広告情報に対応するクーポン情報を携帯電話装置に送信する。【選択図】図１
2008003982.tif 000002
【特許請求の範囲】
【請求項１】
表示装置に接続された端末装置と、携帯電話装置と、店舗ＩＤと店舗位置を対応付けて記憶した店舗データベースを記憶する店舗ディレクトリサーバ装置と、上記店舗ＩＤ毎の広告情報およびクーポン情報を配信する店舗広告情報配信サーバ装置と、を備えた広告情報配信システムであって、
上記携帯電話装置は、
位置情報を検知する位置情報検知手段と、
上記位置情報検知手段にて検知された上記位置情報を行動履歴保持ファイルに記憶する行動履歴保持手段と、
上記行動履歴保持手段にて記憶された上記行動履歴保持ファイルを上記端末装置に送信する行動履歴送信手段と、
を備え、
上記端末装置は、
上記行動履歴送信手段にて送信された上記行動履歴保持ファイルを受信する行動情報受信手段と、
上記行動情報受信手段にて受信された上記行動履歴保持ファイルを記憶する履歴保持手段と、
上記履歴保持手段にて記憶された上記行動履歴保持ファイルを上記ディレクトリサーバ装置に送信し、上記行動履歴保持ファイルに含まれる上記位置情報に対応する上記店舗ＩＤを取得する店舗情報取得手段と、
上記店舗情報取得手段にて取得された上記店舗ＩＤを上記店舗広告情報配信サーバ装置に送信し、当該店舗ＩＤに対応する上記広告情報および上記クーポン情報を取得する広告取得手段と、
上記広告取得手段にて取得された上記広告情報および上記クーポン情報を記憶する広告蓄積手段と、
上記広告蓄積手段にて記憶された上記広告情報を再生して上記表示装置に表示する広告再生手段と、
上記広告再生手段にて再生された上記広告情報に対応する上記クーポン情報を上記携帯電話装置に送信するクーポン送信手段と、
を備えたことを特徴とする広告情報配信システム。
【請求項２】
表示装置に接続された端末装置と、携帯電話装置と、店舗ＩＤ毎の広告情報およびクーポン情報を配信する店舗広告情報配信サーバ装置と、を備えた広告情報配信システムであって、
上記携帯電話装置は、
上記店舗ＩＤを少なくとも含む店舗情報を取得する店舗情報取得手段と、
上記店舗情報取得手段にて取得された上記店舗情報を行動履歴保持ファイルに記憶する行動履歴保持手段と、
上記行動履歴保持手段にて記憶された上記行動履歴保持ファイルを上記端末装置に送信する行動履歴送信手段と、
を備え、
上記端末装置は、
上記行動履歴送信手段にて送信された上記行動履歴保持ファイルを受信する行動情報受信手段と、
上記行動情報受信手段にて受信された上記行動履歴保持ファイルを記憶する履歴保持手段と、
上記履歴保持手段にて記憶された上記行動履歴保持ファイルを上記店舗広告情報配信サーバ装置に送信し、上記行動履歴保持ファイルに含まれる上記店舗ＩＤに対応する上記広告情報および上記クーポン情報を取得する広告取得手段と、
上記広告取得手段にて取得された上記広告情報および上記クーポン情報を記憶する広告蓄積手段と、
上記広告蓄積手段にて記憶された上記広告情報を再生して上記表示装置に表示する広告再生手段と、
上記広告再生手段にて再生された上記広告情報に対応する上記クーポン情報を上記携帯電話装置に送信するクーポン送信手段と、
を備えたことを特徴とする広告情報配信システム。
【請求項３】
請求項１または２に記載の広告情報配信システムにおいて、
上記クーポン情報は暗号化されており、
上記広告再生手段にて再生された上記広告情報に対応する上記クーポン情報を対応する復号鍵により復号化するクーポン復号手段、
をさらに備えたことを特徴とする広告情報配信システム。
【請求項４】
請求項１から３のいずれか一つに記載の広告情報配信システムにおいて、
上記携帯電話装置は、
上記広告情報の再生を上記携帯電話装置または上記端末装置のいずれで行うかを利用者に選択させる再生装置選択手段と、
上記再生装置選択手段にて上記利用者により上記携帯電話装置が再生を行う装置であると選択された場合に、上記行動履歴保持ファイルに対応する上記広告情報および上記クーポン情報を上記店舗広告情報配信サーバ装置から受信し、上記広告情報を表示した後、当該広告情報に対応する上記クーポン情報を保持するクーポン保持手段と、
をさらに備えたことを特徴とする広告情報配信システム。
【請求項５】
表示装置に接続された端末装置と、携帯電話装置と、店舗ＩＤと店舗位置を対応付けて記憶した店舗データベースを記憶する店舗ディレクトリサーバ装置と、上記店舗ＩＤ毎の広告情報およびクーポン情報を配信する店舗広告情報配信サーバ装置と、を備えた広告情報配信システムにおける広告情報配信方法であって、
上記携帯電話装置において実行される、
位置情報を検知する位置情報検知ステップと、
上記位置情報検知ステップにて検知された上記位置情報を行動履歴保持ファイルに記憶する行動履歴保持ステップと、
上記行動履歴保持ステップにて記憶された上記行動履歴保持ファイルを上記端末装置に送信する行動履歴送信ステップと、
を含み、
上記端末装置において実行される、
上記行動履歴送信ステップにて送信された上記行動履歴保持ファイルを受信する行動情報受信ステップと、
上記行動情報受信ステップにて受信された上記行動履歴保持ファイルを記憶する履歴保持ステップと、
上記履歴保持ステップにて記憶された上記行動履歴保持ファイルを上記ディレクトリサーバ装置に送信し、上記行動履歴保持ファイルに含まれる上記位置情報に対応する上記店舗ＩＤを取得する店舗情報取得ステップと、
上記店舗情報取得ステップにて取得された上記店舗ＩＤを上記店舗広告情報配信サーバ装置に送信し、当該店舗ＩＤに対応する上記広告情報および上記クーポン情報を取得する広告取得ステップと、
上記広告取得ステップにて取得された上記広告情報および上記クーポン情報を記憶する広告蓄積ステップと、
上記広告蓄積ステップにて記憶された上記広告情報を再生して上記表示装置に表示する広告再生ステップと、
上記広告再生ステップにて再生された上記広告情報に対応する上記クーポン情報を上記携帯電話装置に送信するクーポン送信ステップと、
を含んだことを特徴とする広告情報配信方法。
【請求項６】
表示装置に接続された端末装置と、携帯電話装置と、店舗ＩＤ毎の広告情報およびクーポン情報を配信する店舗広告情報配信サーバ装置と、を備えた広告情報配信システムにおける広告情報配信方法であって、
上記携帯電話装置において実行される、
上記店舗ＩＤを少なくとも含む店舗情報を取得する店舗情報取得ステップと、
上記店舗情報取得ステップにて取得された上記店舗情報を行動履歴保持ファイルに記憶する行動履歴保持ステップと、
上記行動履歴保持ステップにて記憶された上記行動履歴保持ファイルを上記端末装置に送信する行動履歴送信ステップと、
を含み、
上記端末装置において実行される、
上記行動履歴送信ステップにて送信された上記行動履歴保持ファイルを受信する行動情報受信ステップと、
上記行動情報受信ステップにて受信された上記行動履歴保持ファイルを記憶する履歴保持ステップと、
上記履歴保持ステップにて記憶された上記行動履歴保持ファイルを上記店舗広告情報配信サーバ装置に送信し、上記行動履歴保持ファイルに含まれる上記店舗ＩＤに対応する上記広告情報および上記クーポン情報を取得する広告取得ステップと、
上記広告取得ステップにて取得された上記広告情報および上記クーポン情報を記憶する広告蓄積ステップと、
上記広告蓄積ステップにて記憶された上記広告情報を再生して上記表示装置に表示する広告再生ステップと、
上記広告再生ステップにて再生された上記広告情報に対応する上記クーポン情報を上記携帯電話装置に送信するクーポン送信ステップと、
を含んだことを特徴とする広告情報配信方法。
【請求項７】
請求項５または６に記載の広告情報配信方法において、
上記クーポン情報は暗号化されており、
上記広告再生ステップにて再生された上記広告情報に対応する上記クーポン情報を対応する復号鍵により復号化するクーポン復号ステップ、
をさらに含んだことを特徴とする広告情報配信方法。
【請求項８】
請求項５から７のいずれか一つに記載の広告情報配信方法において、
上記携帯電話装置において実行される、
上記広告情報の再生を上記携帯電話装置または上記端末装置のいずれで行うかを利用者に選択させる再生装置選択ステップと、
上記再生装置選択ステップにて上記利用者により上記携帯電話装置が再生を行う装置であると選択された場合に、上記行動履歴保持ファイルに対応する上記広告情報および上記クーポン情報を上記店舗広告情報配信サーバ装置から受信し、上記広告情報を表示した後、当該広告情報に対応する上記クーポン情報を保持するクーポン保持ステップと、
をさらに含んだことを特徴とする広告情報配信方法。
【発明の詳細な説明】
【技術分野】
【０００１】
本発明は、広告情報配信システム、および広告情報配信方法に関するものである。
【背景技術】
【０００２】
従来、広告情報などのコンテンツを配信するための技術として、訴求効果を高める等の目的で利用者の行動に関連付けて提供するものがある。
【０００３】
ここで、（特許文献１）は、カーナビゲーションシステムにより位置情報と広告情報を連動させて情報を提供する方法である。
【０００４】
また、（特許文献２）は、小売店内に設置された端末から利用者の携帯電話端末等に広告情報を提供した後にクーポン情報を表示する方法である。
【特許文献１】特開２００３−３０８３２９号公報
【特許文献２】特開２００５−２８４５５５号公報
【発明の開示】
【発明が解決しようとする課題】
【０００５】
しかしながら、従来の利用者の行動に関連付けて情報を提供する方法では、地域に関連付けられているからといって必ずしも利用者は広告を注視するわけではないという問題がある。
【０００６】
特に、（特許文献１）に記載の方法においては、テレビ放送からニュース、番組、ＣＭなどのコンテンツを蓄積する構成となっている。そのため（特許文献１）の方法を使用した場合、利用者は、位置情報に関連したニュース、番組は視聴するが、ＣＭなどの広告情報は位置情報に関連していても視聴しない傾向があるという問題が生ずる。
【０００７】
また、（特許文献２）に記載の方法においては、利用者に広告を視聴してもらうため、広告の再生表示の後に携帯電話装置にクーポンを表示するが、広告も携帯電話表示画面に再生表示させる構成となっているため、動画などの情報量が大きな広告情報である場合には、携帯電話に広告情報をダウロードさせるための時間とコストがかかり、他方、静止画などの広告情報である場合には、充分な訴求効果が見込めないという問題がある。
【０００８】
本発明が解決しようとする課題には上述した問題が一例として挙げられる。
【０００９】
本発明は、上記に鑑みてなされたものであって、利用者の位置情報または店舗情報に基づいて訴求効果の高い広告情報を配信し、広告視聴率、広告視聴効果を高めた広告情報を再生表示させる広告情報配信システム、および広告情報配信方法を提供することを目的とするものである。
【課題を解決するための手段】
【００１０】
課題を解決するために本発明は、表示装置に接続された端末装置と、携帯電話装置と、店舗ＩＤと店舗位置を対応付けて記憶した店舗データベースを記憶する店舗ディレクトリサーバ装置と、店舗ＩＤ毎の広告情報およびクーポン情報を配信する店舗広告情報配信サーバ装置と、を備えた広告情報配信システムであって、携帯電話装置は、位置情報を検知する位置情報検知手段と、位置情報検知手段にて検知された位置情報を行動履歴保持ファイルに記憶する行動履歴保持手段と、行動履歴保持手段にて記憶された行動履歴保持ファイルを端末装置に送信する行動履歴送信手段と、を備え、端末装置は、行動履歴送信手段にて送信された行動履歴保持ファイルを受信する行動情報受信手段と、行動情報受信手段にて受信された行動履歴保持ファイルを記憶する履歴保持手段と、履歴保持手段にて記憶された行動履歴保持ファイルをディレクトリサーバ装置に送信し、行動履歴保持ファイルに含まれる位置情報に対応する店舗ＩＤを取得する店舗情報取得手段と、店舗情報取得手段にて取得された店舗ＩＤを店舗広告情報配信サーバ装置に送信し、当該店舗ＩＤに対応する広告情報およびクーポン情報を取得する広告取得手段と、広告取得手段にて取得された広告情報およびクーポン情報を記憶する広告蓄積手段と、広告蓄積手段にて記憶された広告情報を再生して表示装置に表示する広告再生手段と、広告再生手段にて再生された広告情報に対応するクーポン情報を携帯電話装置に送信するクーポン送信手段と、を備えたものである。
【００１１】
また本発明は、表示装置に接続された端末装置と、携帯電話装置と、店舗ＩＤ毎の広告情報およびクーポン情報を配信する店舗広告情報配信サーバ装置と、を備えた広告情報配信システムであって、携帯電話装置は、店舗ＩＤを少なくとも含む店舗情報を取得する店舗情報取得手段と、店舗情報取得手段にて取得された店舗情報を行動履歴保持ファイルに記憶する行動履歴保持手段と、行動履歴保持手段にて記憶された行動履歴保持ファイルを端末装置に送信する行動履歴送信手段と、を備え、端末装置は、行動履歴送信手段にて送信された行動履歴保持ファイルを受信する行動情報受信手段と、行動情報受信手段にて受信された行動履歴保持ファイルを記憶する履歴保持手段と、履歴保持手段にて記憶された行動履歴保持ファイルを店舗広告情報配信サーバ装置に送信し、行動履歴保持ファイルに含まれる店舗ＩＤに対応する広告情報およびクーポン情報を取得する広告取得手段と、広告取得手段にて取得された広告情報およびクーポン情報を記憶する広告蓄積手段と、広告蓄積手段にて記憶された広告情報を再生して表示装置に表示する広告再生手段と、広告再生手段にて再生された広告情報に対応するクーポン情報を携帯電話装置に送信するクーポン送信手段と、を備えたものである。
【００１２】
また本発明は、表示装置に接続された端末装置と、携帯電話装置と、店舗ＩＤと店舗位置を対応付けて記憶した店舗データベースを記憶する店舗ディレクトリサーバ装置と、店舗ＩＤ毎の広告情報およびクーポン情報を配信する店舗広告情報配信サーバ装置と、を備えた広告情報配信システムにおける広告情報配信方法であって、携帯電話装置において実行される、位置情報を検知する位置情報検知ステップと、位置情報検知ステップにて検知された位置情報を行動履歴保持ファイルに記憶する行動履歴保持ステップと、行動履歴保持ステップにて記憶された行動履歴保持ファイルを端末装置に送信する行動履歴送信ステップと、を含み、端末装置において実行される、行動履歴送信ステップにて送信された行動履歴保持ファイルを受信する行動情報受信ステップと、行動情報受信ステップにて受信された行動履歴保持ファイルを記憶する履歴保持ステップと、履歴保持ステップにて記憶された行動履歴保持ファイルをディレクトリサーバ装置に送信し、行動履歴保持ファイルに含まれる位置情報に対応する店舗ＩＤを取得する店舗情報取得ステップと、店舗情報取得ステップにて取得された店舗ＩＤを店舗広告情報配信サーバ装置に送信し、当該店舗ＩＤに対応する広告情報およびクーポン情報を取得する広告取得ステップと、広告取得ステップにて取得された広告情報およびクーポン情報を記憶する広告蓄積ステップと、広告蓄積ステップにて記憶された広告情報を再生して表示装置に表示する広告再生ステップと、広告再生ステップにて再生された広告情報に対応するクーポン情報を携帯電話装置に送信するクーポン送信ステップと、を含んだものである。
【００１３】
また、本発明は、表示装置に接続され少なくとも制御部と記憶部を備えた端末装置と、少なくとも制御部と記憶部を備えた携帯電話装置と、店舗ＩＤ毎の広告情報およびクーポン情報を配信する店舗広告情報配信サーバ装置と、を備えた広告情報配信システムにおける広告情報配信方法であって、携帯電話装置において実行される、店舗ＩＤを少なくとも含む店舗情報を取得する店舗情報取得ステップと、店舗情報取得ステップにて取得された店舗情報を行動履歴保持ファイルに記憶する行動履歴保持ステップと、行動履歴保持ステップにて記憶された行動履歴保持ファイルを端末装置に送信する行動履歴送信ステップと、を含み、端末装置において実行される、行動履歴送信ステップにて送信された行動履歴保持ファイルを受信する行動情報受信ステップと、行動情報受信ステップにて受信された行動履歴保持ファイルを記憶する履歴保持ステップと、履歴保持ステップにて記憶された行動履歴保持ファイルを店舗広告情報配信サーバ装置に送信し、行動履歴保持ファイルに含まれる店舗ＩＤに対応する広告情報およびクーポン情報を取得する広告取得ステップと、広告取得ステップにて取得された広告情報およびクーポン情報を記憶する広告蓄積ステップと、広告蓄積ステップにて記憶された広告情報を再生して表示装置に表示する広告再生ステップと、広告再生ステップにて再生された広告情報に対応するクーポン情報を携帯電話装置に送信するクーポン送信ステップと、を含んだものである。
【発明の効果】
【００１４】
本発明によれば、ブロードバンド回線などを通して利用者の行動履歴に基づいた広告情報を配信することができ、さらに、テレビモニタなどの比較的大きな画面等に広告を再生表示させた後、利用者にクーポン情報を提供することにより、広告視聴率を高めることができ、より訴求効果高い広告情報を配信し表示させることができる広告情報配信システム、および広告情報配信方法が得られる。
【００１５】
また、利用者が店頭端末等から取得した店舗情報に基づいた訴求効果の高い広告情報を配信することができ、テレビモニタなどの比較的大きな画面等に広告を再生表示させた後、利用者にクーポン情報を提供することにより、広告視聴率を高めることができる上、さらに、利用者がクーポン情報を、店頭端末を介して利用することにより、利用者の来店履歴を更新し、次に提供する店舗情報にフィードバックすることができるため、利用者の来店実績に応じた広告情報を配信することができ、より訴求効果を高めることができることができる広告情報配信システム、および広告情報配信方法が得られる。
【００１６】
また、利用者が広告情報を視聴することの信頼度を高めることができる広告情報配信システム、および広告情報配信方法が得られる。
【００１７】
また、利用者が店舗ＩＤ毎に携帯電話装置で表示させるか否かを選択することができ、より利用者個人に特定した広告情報を配信できる広告情報配信システム、および広告情報配信方法が得られる。
【発明を実施するための最良の形態】
【００１８】
本発明の第１の発明の広告情報配信システム、および広告情報配信方法は、表示装置に接続された端末装置と、携帯電話装置と、店舗ＩＤと店舗位置を対応付けて記憶した店舗データベースを記憶する店舗ディレクトリサーバ装置と、上記店舗ＩＤ毎の広告情報およびクーポン情報を配信する店舗広告情報配信サーバ装置と、を備えた広告情報配信システム（において実行される広告配信方法）であって、上記携帯電話装置は、位置情報を検知する位置情報検知手段（ステップ）と、上記位置情報検知手段（ステップ）にて検知された上記位置情報を行動履歴保持ファイルに記憶する行動履歴保持手段（ステップ）と、上記行動履歴保持手段（ステップ）にて記憶された上記行動履歴保持ファイルを上記端末装置に送信する行動履歴送信手段（ステップ）と、を備え（含み）、上記端末装置は、上記行動履歴送信手段（ステップ）にて送信された上記行動履歴保持ファイルを受信する行動情報受信手段（ステップ）と、上記行動情報受信手段（ステップ）にて受信された上記行動履歴保持ファイルを記憶する履歴保持手段（ステップ）と、上記履歴保持手段（ステップ）にて記憶された上記行動履歴保持ファイルを上記ディレクトリサーバ装置に送信し、上記行動履歴保持ファイルに含まれる上記位置情報に対応する上記店舗ＩＤを取得する店舗情報取得手段（ステップ）と、上記店舗情報取得手段にて取得された上記店舗ＩＤを上記店舗広告情報配信サーバ装置に送信し、当該店舗ＩＤに対応する上記広告情報および上記クーポン情報を取得する広告取得手段（ステップ）と、上記広告取得手段（ステップ）にて取得された上記広告情報および上記クーポン情報を記憶する広告蓄積手段（ステップ）と、上記広告蓄積手段（ステップ）にて記憶された上記広告情報を再生して上記表示装置に表示する広告再生手段（ステップ）と、上記広告再生手段にて再生された上記広告情報に対応する上記クーポン情報を上記携帯電話装置に送信するクーポン送信手段と（ステップ）、を備えた（含んだ）ものであり、携帯電話装置は、位置情報を検知し、検知された位置情報を行動履歴保持ファイルに記憶し、記憶された行動履歴保持ファイルを端末装置に送信し、端末装置は、送信された行動履歴保持ファイルを受信し、受信された行動履歴保持ファイルを記憶し、記憶された行動履歴保持ファイルをディレクトリサーバ装置に送信し行動履歴保持ファイルに含まれる位置情報に対応する店舗ＩＤを取得し、取得された店舗ＩＤを店舗広告情報配信サーバ装置に送信し、店舗ＩＤに対応する広告情報およびクーポン情報を取得し、取得された広告情報およびクーポン情報を記憶し、記憶された広告情報を再生して表示装置に表示し、再生された広告情報に対応するクーポン情報を携帯電話装置に送信するので、ブロードバンド回線などを通して利用者の行動履歴に基づいた広告情報を配信することができ、さらに、テレビモニタなどの比較的大きな画面等に広告を再生表示させた後、利用者にクーポン情報を提供することにより、広告視聴率を高めることができ、より訴求効果高い広告情報を配信し表示させることができるという作用を有する。
【００１９】
第２の発明の広告情報配信システム、および広告情報配信方法は、表示装置に接続された端末装置と、携帯電話装置と、店舗ＩＤ毎の広告情報およびクーポン情報を配信する店舗広告情報配信サーバ装置と、を備えた広告情報配信システム（における広告情報配信方法）であって、上記携帯電話装置は、上記店舗ＩＤを少なくとも含む店舗情報を取得する店舗情報取得手段（ステップ）と、上記店舗情報取得手段（ステップ）にて取得された上記店舗情報を行動履歴保持ファイルに記憶する行動履歴保持手段（ステップ）と、上記行動履歴保持手段（ステップ）にて記憶された上記行動履歴保持ファイルを上記端末装置に送信する行動履歴送信手段（ステップ）と、を備え（含み）、上記端末装置は、上記行動履歴送信手段（ステップ）にて送信された上記行動履歴保持ファイルを受信する行動情報受信手段（ステップ）と、上記行動情報受信手段（ステップ）にて受信された上記行動履歴保持ファイルを記憶する履歴保持手段（ステップ）と、上記履歴保持手段（ステップ）にて記憶された上記行動履歴保持ファイルを上記店舗広告情報配信サーバ装置に送信し、上記行動履歴保持ファイルに含まれる上記店舗ＩＤに対応する上記広告情報および上記クーポン情報を取得する広告取得手段（ステップ）と、上記広告取得手段（ステップ）にて取得された上記広告情報および上記クーポン情報を記憶する広告蓄積手段（ステップ）と、上記広告蓄積手段（ステップ）にて記憶された上記広告情報を再生して上記表示装置に表示する広告再生手段（ステップ）と、上記広告再生手段（ステップ）にて再生された上記広告情報に対応する上記クーポン情報を上記携帯電話装置に送信するクーポン送信手段（ステップ）と、を備えた（含んだ）ものであり、携帯電話装置は、店舗ＩＤを少なくとも含む店舗情報を取得し、取得された店舗情報を行動履歴保持ファイルに記憶し、記憶された行動履歴保持ファイルを端末装置に送信し、端末装置は、送信された行動履歴保持ファイルを受信し、受信された行動履歴保持ファイルを記憶し、記憶された行動履歴保持ファイルを店舗広告情報配信サーバ装置に送信し行動履歴保持ファイルに含まれる店舗ＩＤに対応する広告情報およびクーポン情報を取得し、広告取得手段にて取得された広告情報およびクーポン情報を記憶し、記憶された広告情報を再生して表示装置に表示し、再生された広告情報に対応するクーポン情報を携帯電話装置に送信するので、利用者が店頭端末等から取得した店舗情報に基づいた訴求効果の高い広告情報を配信することができ、テレビモニタなどの比較的大きな画面等に広告を再生表示させた後、利用者にクーポン情報を提供することにより、広告視聴率を高めることができる上、さらに、利用者がクーポン情報を店頭端末を介して利用することにより、利用者の来店履歴を更新し、次に提供する店舗情報にフィードバックすることができるため、利用者の来店実績に応じた広告情報を配信することができ、より訴求効果を高めることができる。
【００２０】
第３の発明の広告情報配信システム、および広告情報配信方法は、上記の発明において、上記クーポン情報は暗号化されており、上記広告再生手段（ステップ）にて再生された上記広告情報に対応する上記クーポン情報を対応する復号鍵により復号化するクーポン復号手段（ステップ）、をさらに備えたものであり、上記の発明において更に、クーポン情報は暗号化されており、再生された広告情報に対応するクーポン情報を対応する復号鍵により復号化するので、利用者が広告情報を視聴することの信頼度を高めることができるという作用を有する。
【００２１】
本発明の第４の発明の広告情報配信システム、および広告情報配信方法は、上記の発明において、上記携帯電話装置は、広告情報の再生を携帯電話装置または端末装置のいずれで行うかを利用者に選択させる再生装置選択手段（ステップ）と、再生装置選択手段（ステップ）にて利用者により携帯電話装置が再生を行う装置であると選択された場合に、行動履歴保持ファイルに対応する広告情報およびクーポン情報を店舗広告情報配信サーバ装置から受信し、広告情報を表示した後、当該広告情報に対応するクーポン情報を保持するクーポン保持手段（ステップ）と、をさらに備えたものであり、上記の発明において更に、上記携帯電話装置は、広告情報の再生を携帯電話装置または端末装置のいずれで行うかを利用者に選択させ、利用者により携帯電話装置が再生を行う装置であると選択された場合に、行動履歴保持ファイルに対応する広告情報およびクーポン情報を店舗広告情報配信サーバ装置から受信し、広告情報を表示した後、当該広告情報に対応するクーポン情報を保持するので、利用者が店舗ＩＤ毎に携帯電話装置で表示させるか否かを選択することができ、より利用者個人に特定した広告情報を配信できるという作用を有する。
【００２２】
以下に、本発明にかかる広告情報配信システム、および広告情報配信方法の実施の形態を図面に基づいて詳細に説明する。
［本発明の概要］
以下、本発明の概要について図１を用いて説明し、その後、本発明の構成および処理等について詳細に説明する。図１は、本発明の基本原理を示す基本システム構成図である。
【００２３】
本発明は、概略的に、以下の基本的特徴を有する。すなわち、本発明のシステムは、表示装置に接続された端末装置１００と、携帯電話装置２００と、店舗ＩＤと店舗位置を対応付けて記憶した店舗データベースを記憶する店舗ディレクトリサーバ装置４００と、店舗ＩＤ毎の広告情報およびクーポン情報を配信する店舗広告情報配信サーバ装置５００と、を備えた広告情報配信システムである。
【００２４】
すなわち、図１に示すように、端末装置１００は、表示装置に接続され、少なくとも制御部と記憶部を備えており、店舗広告情報配信サーバ装置５００または店舗ディレクトリサーバ装置４００と、ネットワーク３００を介して接続されている。また、端末装置１００は、携帯電話装置２００を無線ＬＡＮ等の通信手段を介してデータ交換することができる。
【００２５】
また、携帯電話装置２００は、ＧＰＳや携帯電話基地局等と通信することによって位置情報を取得することが可能であり、また店頭に設置された店頭端末装置６００とデータ交換することができるよう構成される。
【００２６】
また、ネットワーク３００は、インターネット等のネットワーク手段である。端末装置１００は、ネットワーク３００を介して、店舗ディレクトリサーバ装置４００または店舗広告情報配信サーバ装置５００にアクセスし、店舗ＩＤまたは広告情報およびクーポン情報を取得できるよう構成される。
【００２７】
また、店舗ディレクトリサーバ装置４００は、店舗ＩＤと店舗位置を対応付けて記憶した店舗データベースを備えおり、端末装置１００から行動履歴保持ファイルを店舗ディレクトリサーバ装置４００に受信した場合に、行動履歴保持ファイルに含まれる位置情報に対応する店舗ＩＤを店舗データベースから読み出し、端末装置１００に送信するサーバ機能を有している。
【００２８】
また、店舗広告情報配信サーバ装置５００は、店舗ＩＤに対応した広告情報およびクーポン情報を記憶しており、アクセスがあると、店舗ＩＤに対応する広告情報およびクーポン情報を配信するサーバ機能を備えている。
【００２９】
また、店頭端末装置６００は、データベースを有する端末装置であり、携帯ＩＤを用いて来店回数や購入回数、購入金額といった顧客情報等を管理しており、各店舗に設置される。
【００３０】
上記のように構成された本システムにおいて、本実施の形態１では、まず、携帯電話装置２００は、位置情報を検知する。
【００３１】
つぎに、携帯電話装置２００は、検知された位置情報を記憶部の行動履歴保持ファイルに記憶する。
【００３２】
そして、携帯電話装置２００は、記憶部に記憶された行動履歴保持ファイルを端末装置１００に送信する。
【００３３】
つぎに、端末装置１００は、送信された行動履歴保持ファイルを受信する。
【００３４】
そして、端末装置１００は、受信した行動履歴保持ファイルを記憶部に記憶する。
【００３５】
また、端末装置１００は、記憶部に記憶した行動履歴保持ファイルを店舗ディレクトリサーバ装置４００に送信し、行動履歴保持ファイルに含まれる位置情報に対応する店舗ＩＤを店舗ディレクトリサーバ装置４００から取得する。
【００３６】
そして、端末装置１００は、取得した店舗ＩＤを店舗広告情報配信サーバ装置５００に送信し、店舗ＩＤに対応する広告情報およびクーポン情報を店舗広告情報配信サーバ装置５００から取得する。
【００３７】
つぎに、端末装置１００は、取得した広告情報およびクーポン情報を記憶部に記憶する。
【００３８】
さらに、端末装置１００は、記憶部に記憶された広告情報を再生して表示装置に表示する。
【００３９】
最後に、端末装置１００は、再生された広告情報に対応するクーポン情報を携帯電話装置２００に送信する。
【００４０】
上記のように構成したことより、利用者は、携帯電話装置２００を店頭に持ち運び、店頭端末装置６００と通信させることによって、取得したクーポンを利用することができるので、広告配信主は、利用者の行動範囲に応じた訴求効果の高い広告情報を配信することができる上に、利用者の広告情報の視聴率を高めることができる。
【００４１】
以上が、本実施の形態１における本発明の概要である。
【００４２】
つづいて、本実施の形態２について本発明の概要を説明する。
【００４３】
即ち、まず、携帯電話装置２００は、店舗ＩＤを少なくとも含む店舗情報を取得する。
【００４４】
つぎに、携帯電話装置２００は、取得した店舗情報を記憶部の行動履歴保持ファイルに記憶する。
【００４５】
そして、携帯電話装置２００は、記憶部に記憶された行動履歴保持ファイルを端末装置１００に送信する。
【００４６】
つぎに、端末装置１００は、送信された行動履歴保持ファイルを受信する。
【００４７】
そして、端末装置１００は、受信した行動履歴保持ファイルを記憶部に記憶する。
【００４８】
また、端末装置１００は、記憶部に記憶した行動履歴保持ファイルを店舗広告情報配信サーバ装置５００に送信し、行動履歴保持ファイルに含まれる店舗ＩＤに対応する広告情報およびクーポン情報を取得する。
【００４９】
つぎに、端末装置１００は、取得した広告情報およびクーポン情報を記憶部に記憶する。
【００５０】
さらに、端末装置１００は、記憶部に記憶された広告情報を再生して表示装置に表示する。
【００５１】
最後に、端末装置１００は、再生された広告情報に対応するクーポン情報を携帯電話装置２００に送信する。
【００５２】
以上が、本実施の形態２における本発明の概要である。
【００５３】
ここで、本実施の形態１または２において、クーポン情報は暗号化されており、再生された広告情報に対応するクーポン情報を対応する復号鍵により復号化するよう構成してもよい。
【００５４】
また、携帯電話装置２００は、広告情報の再生を端末装置１００または携帯電話装置２００のいずれで行うかを利用者に選択させ、利用者により携帯電話装置２００が再生を行う装置であると選択された場合に、携帯電話装置２００は、行動履歴保持ファイルに対応する広告情報およびクーポン情報を店舗広告情報配信サーバ装置５００から受信し、広告情報を表示した後、当該広告情報に対応するクーポン情報を保持するよう構成してもよい。
【００５５】
以上で、本発明の概要の説明を終える。
［本システムの構成］
本実施の形態における本システムの構成について、図２〜図５を用いて説明する。
［実施の形態１におけるシステム構成］
まず、実施の形態１における本システムの構成について、図２を用いて説明する。図２は、本実施の形態１における、本発明が適用される本システムの論理構成の一例を示す論理ブロック図であり、該構成のうち本発明に関係する部分のみを概念的に示している。
【００５６】
本広告情報配信システムの全体構成は、概略的に、以下の基本的特徴を有する。すなわち、本発明のシステムは、表示装置に接続された端末装置１００と、携帯電話装置２００と、店舗ＩＤと店舗位置情報を対応付けて記憶した店舗データベースを有する店舗ディレクトリサーバ装置４００と、店舗ＩＤ毎の広告情報およびクーポン情報を配信する店舗広告情報配信サーバ装置５００と、を備えて構成される。
【００５７】
このうち、端末装置１００は、少なくとも制御部と記憶部を備えており、店舗広告情報配信サーバ装置５００または店舗ディレクトリサーバ装置４００と、ネットワーク３００を介して接続されている。また、端末装置１００は、携帯電話装置２００を例えばＩｒＤＡなどの赤外線通信や無線ＬＡＮ等の通信技術手段を介して接続することができる。
【００５８】
本端末装置１００の内部構成は、図２に示すように、少なくとも、履歴保持手段１０６ａ等の各種のデータベースやテーブルを格納する記憶部と、ＣＰＵ等が記憶部等に格納されたプログラムなどを読み込むことによって各種制御手段（行動履歴受信手段１０２ａ、店舗情報取得手段１０２ｂ等）として機能する制御部と、から構成される。
【００５９】
ここで、端末装置１００の記憶部は、履歴保持手段１０６ａと、広告蓄積データベース１０６ｂと、クーポン保持手段１０６ｃと、復号鍵保持手段１０６ｄと、から構成される。
【００６０】
このうち、履歴保持手段１０６ａは、行動履歴受信手段１０２ａの処理により、携帯電話装置２００から受信した行動履歴保持ファイルを記憶する履歴保持手段である。
【００６１】
また、広告蓄積データベース１０６ｂは、広告取得手段１０２ｃの処理により、店舗広告情報配信サーバ装置５００から取得した広告情報およびクーポン情報を記憶する広告蓄積手段である。
【００６２】
また、クーポン保持手段１０６ｃは、視聴完了確認手段１０２ｉの処理により、再生が終了したことを確認された場合に、クーポン付広告復号手段１０２ｋの処理により、復号化されたクーポン情報を記憶するクーポン保持手段である。
【００６３】
また、復号鍵保持手段１０６ｄは、店舗情報取得手段１０２ｂの処理により、店舗ＩＤと復号鍵を取得した際に、取得した復号鍵を記憶する復号鍵保持手段である。
【００６４】
つづいて、図２において、端末装置１００の制御部は、機能概念的に、行動履歴受信手段１０２ａと、店舗情報取得手段１０２ｂと、広告取得手段１０２ｃと、広告再生手段１０２ｄと、クーポン送信手段１０２ｅと、携帯ＩＤ受信手段１０２ｆと、視聴判定手段１０２ｇと、クーポン付広告復号手段１０２ｋと、を備えて構成されている。
【００６５】
このうち、行動履歴受信手段１０２ａは、携帯電話装置２００から送信された行動履歴保持ファイルを受信し、履歴保持手段１０６ａに格納する行動履歴受信手段である。
【００６６】
また、店舗情報取得手段１０２ｂは、履歴保持手段１０６ａに記憶した行動履歴保持ファイルを、ネットワーク３００を介して店舗ディレクトリサーバ装置４００に送信し、行動履歴保持ファイルに含まれる位置情報に対応する店舗ＩＤを店舗ディレクトリサーバ装置４００から取得する店舗情報取得手段である。
【００６７】
また、広告取得手段１０２ｃは、取得した店舗ＩＤを、ネットワーク３００を介して対応する店舗広告情報配信サーバ装置５００に送信し、店舗ＩＤに対応する広告情報およびクーポン情報を店舗広告情報配信サーバ装置５００から取得する広告取得手段である。
【００６８】
また、広告再生手段１０２ｄは、広告蓄積データベース１０６ｂに記憶された広告情報を再生して表示装置に表示する広告再生手段である。ここで、行動履歴受信手段１０２ａは、図２に示すように、視聴手段１０２ｈ、視聴完了確認手段１０２ｉ、クーポン保持手段１０６ｃを備えて構成してもよい。視聴手段１０２ｈは、広告情報を再生し表示装置を介して利用者に広告を視聴させる視聴手段である。また視聴完了確認手段１０２ｉは、視聴手段１０２ｈによる広告情報の再生・表示を監視し、視聴手段１０２ｈの処理による利用者に広告を視聴させる処理が完了したと判断した場合に、クーポン付広告復号手段１０２ｋの処理により復号化されたクーポン情報をクーポン保持手段１０６ｃに格納する視聴完了確認手段である。
【００６９】
また、クーポン送信手段１０２ｅは、再生された広告情報に対応するクーポン情報を携帯電話装置２００に送信するクーポン送信手段である。例えば、ＩｒＤＡなどの赤外線通信技術や無線ＬＡＮ等の通信技術を用いて実現してもよい。
【００７０】
また、携帯ＩＤ受信手段１０２ｆは、携帯電話装置２００のＩＤを端末装置１００から受信する携帯ＩＤ受信手段である。通信手段は、赤外線通信技術や無線ＬＡＮ等の通信技術を用いて実現してもよく、また、Ｆｅｌｉｃａなどの非接触ＩＣカード技術を用いて実現してもよい。
【００７１】
また、視聴判定手段１０２ｇは、広告情報の取得を指示した送信元となった利用者の携帯電話装置２００の携帯ＩＤと、受信元となった利用者の携帯電話装置２００の携帯ＩＤが一致しているかを判定し、一致していない場合には、広告再生手段１０２ｄの処理を停止させる視聴判定手段である。例えば、店頭端末装置６００に取得を指示した店舗情報に含まれる（送信元）携帯ＩＤ、または店舗ディレクトリサーバ装置４００や店舗広告情報配信サーバ装置５００に取得を指示した店舗情報や広告情報に含まれる（送信元）携帯ＩＤと、携帯ＩＤ受信手段１０２ｆの処理により受信した（受信元）携帯ＩＤと、を照合することにより実現する。
【００７２】
また、クーポン付広告復号手段１０２ｋは、店舗広告情報配信サーバ装置５００から取得した暗号化クーポン情報が格納された広告蓄積データベース１０６ｂから暗号化クーポン情報を読み取り、暗号化されたクーポン情報を、復号鍵保持手段１０６ｄ（復号鍵を含む履歴保持手段１０６ｅ）に記憶された復号鍵を用いて復号化するクーポン付広告復号手段である。
【００７３】
ここで、端末装置１００は、ネットワーク３００を介して、店舗ディレクトリサーバ装置４００または店舗広告情報配信サーバ装置５００にアクセスし、店舗ＩＤや広告情報・クーポン情報を取得できるよう構成されている。ネットワーク３００は、インターネット等のネットワーク手段である。
【００７４】
以上が、実施の形態１の端末装置１００の内部構成の詳細な説明である。
【００７５】
ここで、携帯電話装置２００は、図２に示すように、ＧＰＳや携帯電話基地局等と通信することによって位置情報を取得するよう構成される。
【００７６】
図２に示すように、実施の形態１における本携帯電話装置２００は、少なくとも、各種のデータベースやテーブル（行動履歴保持手段２０６ａ等）を格納する記憶部と、ＣＰＵ等が記憶部等に格納されたプログラムなどを読み込むことによって各種制御手段（位置検知手段２０２ａ〜視聴手段２０２ｈ）として機能する制御部と、から構成される。
【００７７】
これら記憶部の構成要素のうち、行動履歴保持手段２０６ａは、取得した位置情報や店舗情報を記憶する行動履歴保持手段である。
【００７８】
また、図２において、携帯電話装置２００の制御部は、機能概念的に、位置検知手段２０２ａと、行動履歴送信手段２０２ｂと、広告取得手段２０２ｃと、クーポン受信手段２０２ｄと、携帯ＩＤ送信手段２０２ｅと、視聴手段２０２ｈと、を備えて構成されている。
【００７９】
このうち、位置検知手段２０２ａは、位置情報を検知し、行動履歴保持手段２０６ａに格納する位置情報検知手段である。例えば、携帯電話装置２００の制御部が、ＧＰＳや携帯電話基地局等と通信し、位置情報を取得するよう制御することにより実現する。
【００８０】
また、行動履歴送信手段２０２ｂは、広告蓄積データベース２０６ｂに記憶された行動履歴保持ファイルを端末装置１００に送信する行動履歴送信手段である。例えば、ＩｒＤＡなどの赤外線通信技術や無線ＬＡＮ等の通信技術を用いて実現する。
【００８１】
また、クーポン受信手段２０２ｄは、端末装置１００からクーポン情報を受信するクーポン受信手段である。行動履歴送信手段２０２ｂ同様に、例えば赤外線通信技術や無線ＬＡＮ等の通信技術を用いて実現する。
【００８２】
また、携帯ＩＤ送信手段２０２ｅは、携帯電話装置２００のＩＤを端末装置１００や店頭端末装置６００に送信する携帯ＩＤ送信手段である。行動履歴送信手段２０２ｂ同様に、赤外線通信技術や無線ＬＡＮ等の通信技術を用いて実現してもよく、また、Ｆｅｌｉｃａなどの非接触ＩＣカード技術を用いて実現してもよい。
【００８３】
また、視聴手段２０２ｈは、クーポン情報を店頭端末装置６００に送信するクーポン情報送信手段である。これも、携帯ＩＤ送信手段２０２ｅ同様に、Ｆｅｌｉｃａなどの非接触ＩＣカード技術を用いて実現してもよく、また、行動履歴送信手段２０２ｂ同様に、赤外線通信技術や無線ＬＡＮ等の通信技術を用いて実現してもよい。
【００８４】
以上が、実施の形態１における、本システムにおける本携帯電話装置２００内部の論理構成である。
【００８５】
店舗ディレクトリサーバ装置４００は、図２で示すように、店舗ＩＤと店舗位置を対応付けて記憶した店舗データベースと、端末装置１００から行動履歴保持ファイルを店舗ディレクトリサーバ装置４００に受信した場合に、行動履歴保持ファイルに含まれる位置情報に対応する店舗ＩＤを店舗データベースから読み出す配信店舗判定手段と、店舗データベースから読み出した店舗ＩＤを端末装置１００に送信する店舗情報発行手段を備えている。
【００８６】
ここで、店舗データベースは、店舗ＩＤと店舗位置のほか、店舗ＩＤに対応する店舗情報配信サーバのアドレスや、暗号化されたクーポン情報または広告情報を復号化するための対応する復号鍵を記憶してもよい。
【００８７】
また、図２に示すように、店舗広告情報配信サーバ装置５００は、店舗ＩＤに対応した広告情報およびクーポン情報を記憶する広告データ記憶手段と、アクセスがあった場合に店舗ＩＤに対応する広告情報およびクーポン情報を広告データ記憶手段から読み出す配布広告判定手段と、読み出した広告情報およびクーポン情報を配信する情報発行手段を備えている。
【００８８】
また、図２に示すように、店頭端末装置６００は、店舗内データベース６０６ａと、携帯電話装置２００から、例えば無線ＬＡＮや赤外線などの通信技術手段を介して接続された場合に、クーポン情報を受信するクーポン受信手段６０２ａと、店舗内データベース６０６ａを参照してクーポン情報の真贋を判断するクーポン真贋判断手段６０２ｂとを備えて構成される。
【００８９】
ここで、店舗ディレクトリサーバ装置４００、店舗広告情報配信サーバ装置５００または店頭端末装置６００は、ＷＥＢサーバやＡＳＰサーバ等として構成していてもよく、そのハードウェア構成は、一般に市販されるワークステーション、パーソナルコンピュータ等の情報処理装置およびその付属装置により構成していてもよい。また、店舗ディレクトリサーバ装置４００、店舗広告情報配信サーバ装置５００または店頭端末装置６００の各機能は、ハードウェア構成中のＣＰＵ、ディスク装置、メモリ装置、入力装置、出力装置、通信制御装置等およびそれらを制御するプログラム等により実現される。
【００９０】
以上で、実施の形態１における本システム構成についての説明を終える。
［実施の形態２におけるシステム構成］
つぎに、実施の形態２における本システムの構成について、図３を用いて説明する。図３は、本実施の形態２における、本発明が適用される本システムの論理構成の一例を示す論理ブロック図であり、該構成のうち本発明に関係する部分のみを概念的に示している。なお、図２（実施の形態１）と共通の機能にかかる手段は、同一名称・同一符号を付して、その説明を適宜省略する。
【００９１】
ここで、図３に示すように、端末装置１００において、復号鍵を含む履歴保持手段１０６ｅは、行動履歴受信手段１０２ａの処理により、携帯電話装置２００から受信した復号鍵を含む行動履歴保持ファイルを記憶する履歴保持手段である。なお、復号鍵は店頭端末装置６００から取得するよう構成してもよい。
【００９２】
また、店頭端末装置６００は、図３に示すように、携帯電話装置２００のＩＤを受信する携帯ＩＤ受信手段６０２ｃと、受信した携帯ＩＤを店舗内データベース６０６ａに対して参照する配信情報判定手段６０２ｄと、店舗内データベースから取得した情報を加工し、端末装置１００に送信する店舗情報発行手段６０２ｅを、備えている。また、ネットワーク３００を介して、店舗ディレクトリサーバ装置４００または店舗広告情報配信サーバ装置５００と接続される。
【００９３】
また、図３に示すように、携帯電話装置２００において、店舗情報取得手段２０２ｆは、店頭に設置された店頭端末装置６００からの店舗情報や店舗ＩＤを受信する店舗情報取得手段である。
【００９４】
その他、図３に示す各手段は、図２において説明したものと重複するので説明を省略する。
【００９５】
以上で、実施の形態２における本システム構成についての説明を終える。
［実施の形態３におけるシステム構成］
つぎに、実施の形態３における本システムの構成について、図４、図５を用いて説明する。図４、図５は、本実施の形態３における、本発明が適用される本システムの論理構成の一例を示す論理ブロック図であり、該構成のうち本発明に関係する部分のみを概念的に示している。なお、図２（実施の形態１）、図３（実施の形態２）と共通の機能にかかる手段は、同一名称・同一符号を付している。
【００９６】
すなわち、図４に示すように、携帯電話装置２００は、さらに、再生装置選択手段２０２ｇと、再生装置判定手段２０２ｊと、広告取得手段２０２ｃと、行動履歴送信手段２０２ｂと、広告蓄積データベース２０６ｂと、クーポン付広告復号手段２０２ｋと、広告再生手段２０２ｍ（視聴手段２０２ｈ、視聴完了確認手段２０２ｉ、クーポン保持手段２０６ｃ）と、を備えて構成される。尚、図４に示すように、端末装置１００の構成は、図３と同一であるので、説明を省略する。
【００９７】
このうち、再生装置選択手段２０２ｇは、利用者に広告情報の再生を端末装置１００または携帯電話装置２００のいずれで行うかを選択させる再生装置選択手段である。すなわち利用者に携帯電話装置２００の入力装置を介して、広告情報の再生を端末装置１００または携帯電話装置２００のいずれで行うかを選択させる。この選択の設定は、店舗ＩＤごとに行えるよう構成してもよく、時間または場所に応じて端末装置１００または携帯電話装置２００の自動切替選択を行うよう構成してもよい。
【００９８】
また、再生装置判定手段２０２ｊは、行動履歴保持手段２０６ａに再生装置の指示命令があったときは指示命令の指示する再生装置に処理を送り、行動履歴保持手段２０６ａに再生装置の指示命令が無い場合には、再生装置選択手段２０２ｇの処理により設定された装置を判定し、選択された装置に広告視聴のための処理を指示する視聴機器判定手段である。すなわち、再生装置判定手段２０２ｊの処理により、携帯電話装置２００が再生を行う装置であると判断した場合には、処理を広告取得手段２０２ｃに命令し、他方、端末装置１００が再生を行う装置であると判断した場合には、再生装置判定手段２０２ｊの処理により、処理を行動履歴送信手段２０２ｂに命令するよう制御する。
【００９９】
その他、広告取得手段２０２ｃは広告取得手段１０２ｃと同一の機能であり、広告蓄積データベース２０６ｂは広告蓄積データベース１０６ｂと、クーポン付広告復号手段２０２ｋはクーポン付広告復号手段１０２ｋと、広告再生手段２０２ｍは広告再生手段１０２ｄと（すなわち視聴手段２０２ｈは視聴手段１０２ｈと、視聴完了確認手段２０２ｉは視聴完了確認手段１０２ｉと、クーポン保持手段２０６ｃはクーポン保持手段１０６ｃと）、クーポン付広告復号手段２０２ｋはクーポン付広告復号手段１０２ｋと、同一の機能であるので説明を省略する。
【０１００】
以上で、実施の形態３における本システム構成についての説明を終える。
［システムの処理］
本発明の本システムの処理について、以下に図２〜図８を参照して、詳細に説明する。
［実施の形態１における処理］
まず、実施の形態１における処理の詳細について図２および図６を参照して説明する。図６は、本実施の形態１における本システムの通信制御シーケンス図である。
【０１０１】
まず、携帯電話装置２００は、位置検知手段２０２ａの処理により、位置情報を検知する（ＳＡ−１）。
【０１０２】
つぎに、携帯電話装置２００は、位置検知手段２０２ａの処理により、検知された位置情報を行動履歴保持手段２０６ａの行動履歴保持ファイルに格納する（ＳＡ−１）。
【０１０３】
そして、携帯電話装置２００は、行動履歴送信手段２０２ｂの処理により、行動履歴保持手段２０６ａに記憶された行動履歴保持ファイルを端末装置１００に送信する（ＳＡ−２）。
【０１０４】
つぎに、端末装置１００は、行動履歴受信手段１０２ａの処理により、携帯電話装置２００から送信された行動履歴保持ファイルを受信する（ＳＡ−２）。
【０１０５】
そして、端末装置１００は、行動履歴受信手段１０２ａの処理により、受信した行動履歴保持ファイルを履歴保持手段１０６ａに格納する（ＳＡ−２）。
【０１０６】
また、端末装置１００は、店舗情報取得手段１０２ｂの処理により、履歴保持手段１０６ａに記憶した行動履歴保持ファイルを店舗ディレクトリサーバ装置４００に送信する（ＳＡ−３）。
【０１０７】
ここで、店舗ディレクトリサーバ装置４００は、端末装置１００から行動履歴保持ファイルを受け取ると、配信店舗判定手段の処理により、行動履歴保持ファイルに含まれる位置情報を読み取り、店舗データベースに対して位置情報を検索する（ＳＡ−４）。そして、店舗ディレクトリサーバ装置４００は、店舗情報発行手段の処理により、検索結果である店舗ＩＤを、その店舗ＩＤに対応する広告情報を備えた店舗広告情報配信サーバ装置５００のアドレスとともに、端末装置１００に送信する（ＳＡ−５）。
【０１０８】
つぎに、端末装置１００は、店舗情報取得手段１０２ｂの処理により、行動履歴保持ファイルに含まれる位置情報に対応する店舗ＩＤを店舗ディレクトリサーバ装置４００から取得する（ＳＡ−５）。
【０１０９】
そして、端末装置１００は、広告取得手段１０２ｃの処理により、取得したアドレスを用いて、ネットワーク３００を介して店舗広告情報配信サーバ装置５００にアクセスし、店舗ＩＤに対応する店舗広告情報配信サーバ装置５００に広告情報のダウンロード要求を送信する（ＳＡ−６）。
【０１１０】
ダウンロード要求を端末装置１００から受け取った店舗広告情報配信サーバ装置５００は、配布広告判定手段の処理により、受け取った店舗ＩＤに基づいた広告情報とそれに付随するクーポン情報を広告記憶手段から読み出し、情報発行手段の処理により、端末装置１００に広告情報とクーポン情報を送信する（ＳＡ−７）。
【０１１１】
そして、端末装置１００は、広告取得手段１０２ｃの処理により、店舗ＩＤに対応する広告情報およびクーポン情報を店舗広告情報配信サーバ装置５００から取得する（ＳＡ−７）。
【０１１２】
つぎに、端末装置１００は、広告取得手段１０２ｃの処理により、取得した広告情報およびクーポン情報を広告蓄積データベース１０６ｂに格納する（ＳＡ−７）。
【０１１３】
ここで、端末装置１００は、視聴判定手段１０２ｇの処理により、広告情報の取得を指示した送信元となった利用者の携帯電話装置２００の携帯ＩＤと、受信元となった利用者の携帯電話装置２００の携帯ＩＤが一致しているかを判定し、一致していない場合には、広告再生手段１０２ｄの処理を停止する。
【０１１４】
すなわち、携帯電話装置２００は、携帯ＩＤ送信手段２０２ｅの処理により携帯ＩＤと広告視聴要求を送信する（ＳＡ−８、９）。そして、端末装置１００は、携帯ＩＤ受信手段１０２ｆの処理により、受信した携帯ＩＤと、広告再生手段１０２ｄの処理にかかる広告情報の携帯ＩＤとを、視聴判定手段１０２ｇの処理により照合することにより判定し、一致しないと判断した場合には、広告再生手段１０２ｄの処理を停止させる（ＳＡ−１０）。この視聴判定処理を行うことにより、行動履歴ファイル作成の対象となった利用者と、再生表示される広告の視聴者の同一性を担保し、個人情報の確保をも保障することができる。
【０１１５】
つぎに、端末装置１００は、クーポン付広告復号手段１０２ｋの処理により、広告蓄積データベース１０６ｂに記憶された照合した携帯ＩＤの広告情報とクーポン情報を読み出し、暗号化されている場合には、復号鍵保持手段１０６ｄに保存される対応する復号鍵で復号化する（ＳＡ−１１）。このことで、クーポン情報が広告の視聴前に不正に利用されることを防ぎ、利用者が広告情報を視聴することの信頼度を高めることができる。
【０１１６】
そして、端末装置１００は、広告再生手段１０２ｄの処理により、広告情報を再生して表示装置に表示する（ＳＡ−１２）。
【０１１７】
ここで、広告再生手段１０２ｄは、視聴完了確認手段１０２ｉの処理により、広告再生手段１０２ｄによる広告情報の再生が終了したと判断すると、復号化されたクーポンを出力画面に表示し、クーポン保持手段１０６ｃに格納する（ＳＡ−１２）。
【０１１８】
つづいて、端末装置１００は、クーポン送信手段１０２ｅの処理により、クーポン保持手段１０６ｃに記憶されたクーポン情報を携帯電話装置２００に送信し、携帯電話装置２００は、クーポン受信手段２０２ｄの処理により、クーポン情報を受信する（ＳＡ−１３）。
【０１１９】
そして、携帯電話装置２００は、視聴手段２０２ｈの処理により、店頭端末装置６００にクーポン情報を送ると、店頭端末装置６００は、クーポン受信手段６０２ａの処理により、クーポン情報を受信し、クーポン真贋判断手段６０２ｂの処理により、店舗内データベース６０６ａに格納された携帯ＩＤを参照してクーポンの真贋を判断し、本物と判断した場合には、利用者に割引などの特典を提供する。すなわち、クーポン真贋判断手段６０２ｂは、例えば、広告情報のダウンロード要求を行った携帯ＩＤと、クーポン情報を送信した携帯ＩＤが同一であるか否かを判定して、真贋を判定する。
【０１２０】
最後に、店頭端末装置６００は、配信情報判定手段６０２ｄの処理により、店舗内データベース６０６ａに利用者情報を書き込み更新し、次回配信する広告情報にフィードバックさせることができる。
【０１２１】
以上が、本実施の形態１における本発明の処理の説明である。
［実施の形態２における処理］
次に、本実施の形態２における処理の詳細について、図３および図７を参照して説明する。図７は、本実施の形態２における本システムの通信制御シーケンス図である。
【０１２２】
実施の形態２では、図３に示すように、店頭端末装置６００は、携帯電話装置２００と通信を行うことにより、利用者の携帯ＩＤを介して利用者の来店情報や購入回数などを管理することができるよう構成される。
【０１２３】
すなわち、利用者が携帯電話装置２００を持って、来店した場合に、携帯電話装置２００は、携帯電話装置２００Ｅの処理により、携帯ＩＤを店頭端末装置６００に通知し、店頭端末装置６００は、携帯ＩＤ受信手段６０２ｃの処理により、携帯ＩＤを受信する（ＳＢ−１）。
【０１２４】
そして、まず店頭端末装置６００は、クーポン受信手段６０２ａの処理により、店舗ＩＤを携帯電話装置２００に送信する（ＳＢ−２）。
【０１２５】
そして、店頭端末装置６００は、配信情報判定手段６０２ｄの処理により、店舗内データベース６０６ａに対して携帯ＩＤを検索することにより、携帯ＩＤに対応する利用者履歴情報を取得する。ここで、検索結果が０を返したときには新規の利用者と判定し、配信情報判定手段６０２ｄの処理により、新しく当該携帯ＩＤ用利用者履歴情報ファイルを作成し、カウンタを０にリセットする。利用者履歴情報が発見された場合には、来店回数、購入回数などを意味するカウンタをインクリメントする（ＳＢ−３）。
【０１２６】
つぎに、店頭端末装置６００は、店舗情報発行手段６０２ｅの処理により、店舗ＩＤと店舗ＩＤに対応する店舗広告情報配信サーバ装置５００のアドレスと対応する復号鍵を携帯電話装置２００に通知する（ＳＢ−４）。ここで、店舗ＩＤに対応する店舗広告情報配信サーバ装置５００のアドレスおよび復号鍵は、カウンタに応じて変更するよう構成してもよい。これにより、利用者の来店実績や購入回数に応じた広告情報やクーポンを提供することができる。
【０１２７】
図７の説明に戻り、携帯電話装置２００は、店舗情報取得手段２０２ｆの処理により、店舗ＩＤとアドレスと復号鍵を含む店舗情報を取得し、店舗情報取得手段２０２ｆの処理により、取得した店舗情報を行動履歴保持手段２０６ａの行動履歴保持ファイルに格納する（ＳＢ−２、４）。
【０１２８】
利用者が店舗から自宅に帰宅した場合等に、携帯電話装置２００は、行動履歴送信手段２０２ｂの処理により、行動履歴保持手段２０６ａに記憶された行動履歴保持ファイルを端末装置１００に送信する（ＳＢ−５）。
【０１２９】
つぎに、端末装置１００は、行動履歴受信手段１０２ａの処理により、携帯電話装置２００から送信された行動履歴保持ファイルを受信する（ＳＢ−５）。
【０１３０】
そして、端末装置１００は、行動履歴受信手段１０２ａの処理により、受信した行動履歴保持ファイルを履歴保持手段（復号鍵を含む）１０６ｅに格納する。
【０１３１】
また、端末装置１００は、広告取得手段１０２ｃの処理により、復号鍵を含む履歴保持手段１０６ｅに記憶されたアドレスを用いて、ネットワーク３００を介して店舗広告情報配信サーバ装置５００にアクセスし、店舗ＩＤに対応する店舗広告情報配信サーバ装置５００に広告情報のダウンロード要求を送信する（ＳＢ−６）。
【０１３２】
ダウンロード要求を端末装置１００から受け取った店舗広告情報配信サーバ装置５００は、配布広告判定手段の処理により、受け取った店舗ＩＤに基づいた広告情報とそれに付随するクーポン情報を広告記憶手段から読み出し、情報発行手段の処理により、端末装置１００に広告情報とクーポン情報を送信する（ＳＢ−７）。
【０１３３】
ここで、店頭端末装置６００は、配布広告判定手段の処理により、系列店の店舗ＩＤに対応する利用者履歴情報を読み出し、系列店の来店実績等も考慮した広告情報またはクーポン情報を配信するよう構成してもよい。
【０１３４】
そして、端末装置１００は、広告取得手段１０２ｃの処理により、店舗ＩＤに対応する広告情報およびクーポン情報を店舗広告情報配信サーバ装置５００から取得し、広告取得手段１０２ｃの処理により、取得した広告情報およびクーポン情報を広告蓄積データベース１０６ｂに格納する（ＳＢ−７）。
【０１３５】
ここで、広告情報・クーポン情報は暗号化されており、再生される広告情報およびクーポン情報を対応する復号鍵により復号化する。
【０１３６】
すなわち、端末装置１００は、広告再生手段１０２ｄの処理により、広告蓄積データベース１０６ｂに記憶された広告情報を再生して表示装置に表示する際に、クーポン付広告復号手段１０２ｋの処理により、広告蓄積データベース１０６ｂに記憶された暗号化再生情報とクーポン情報を読み出し、復号鍵を含む履歴保持手段１０６ｅに記憶した復号鍵を用いて、暗号化されたクーポン情報を復号化する（ＳＢ−８）。
【０１３７】
そして、端末装置１００は、広告再生手段１０２ｄの処理により、復号化された広告情報を再生して表示装置に表示する（ＳＢ−９）。
【０１３８】
つぎに、広告再生手段１０２ｄは、視聴手段１０２ｈの処理による広告情報が再生表示されると、視聴完了確認手段１０２ｉの処理により、再生が終了したことを確認し、復号化したクーポン情報をクーポン保持手段１０６ｃに格納する（ＳＢ−９）。
【０１３９】
そして、端末装置１００は、クーポン送信手段１０２ｅの処理により、クーポン情報と店舗ＩＤを携帯電話装置２００に送信し、携帯電話装置２００は、クーポン受信手段２０２ｄの処理により、クーポン情報と店舗ＩＤを受信する（ＳＢ−１０）。
【０１４０】
利用者が携帯電話装置２００を持って来店した場合等に、携帯電話装置２００は、視聴手段２０２ｈの処理により、店頭端末装置６００にクーポン情報を送信し、さらに、携帯ＩＤ送信手段２０２ｅの処理により、携帯ＩＤを店頭端末装置６００に送信する（ＳＢ−１１）。
【０１４１】
そして、店頭端末装置６００は、クーポン受信手段６０２ａの処理によりクーポン情報と、携帯ＩＤ受信手段６０２ｃの処理により携帯ＩＤとを受信する（ＳＢ−１１）。
【０１４２】
つぎに、店頭端末装置６００は、クーポン真贋判断手段６０２ｂの処理により、店舗内データベース６０６ａに格納された携帯ＩＤを参照してクーポンの真贋を判断し、本物と判断した場合には、利用者に割引などの特典を提供する（ＳＢ−１１）。
【０１４３】
最後に、店頭端末装置６００は、６０６ｂの処理により、店舗内データベース６０６ａに利用者情報を書き込み更新し、次回配信する広告情報にフィードバックさせることができる。
【０１４４】
以上が、本発明の本実施の形態２における処理の詳細である。
［実施の形態３における処理］
本実施の形態３における処理の詳細について、図４、図５および図８を参照して説明する。図８は、本実施の形態３における本システムの通信制御シーケンス図である。
【０１４５】
実施の形態３では、携帯電話装置２００は、広告情報の再生を端末装置１００または携帯電話装置２００のいずれで行うかを選択させ、携帯電話装置２００が再生を行う装置であると判断した場合に、携帯電話装置２００は、広告情報とクーポン情報を店舗広告情報配信サーバ装置５００から受信し、広告情報とクーポン情報を再生表示する。他方、携帯電話装置２００が再生を行う装置であると判断した場合には、端末装置１００に行動履歴保持ファイルを送信し、端末装置１００が、広告情報とクーポン情報を店舗広告情報配信サーバ装置５００から受信し、広告情報とクーポン情報を再生表示するよう構成したものである。
【０１４６】
すなわち、利用者が携帯電話装置２００を持って来店した場合等に、携帯電話装置２００は、携帯ＩＤ送信手段２０２ｅの処理により、携帯ＩＤを店頭端末装置６００に通知する（ＳＣ−１）。
【０１４７】
つぎに、店頭端末装置６００は、携帯ＩＤ受信手段６０２ｃの処理により、携帯ＩＤを受信し（ＳＣ−１）、店舗情報発行手段６０２ｅの処理により、店舗ＩＤを携帯電話装置２００に送信する（ＳＣ−２）。
【０１４８】
そして、店頭端末装置６００は、配信情報判定手段６０２ｄの処理により、店舗内データベース６０６ａに対して携帯ＩＤを検索することにより、携帯ＩＤに対応する利用者履歴情報を取得する（ＳＣ−３）。配信情報判定手段６０２ｄの処理により、検索結果が０を返したときには新規の利用者と判定し、新しく当該携帯ＩＤ用利用者履歴情報ファイルを作成し、カウンタを０にリセットする。配信情報判定手段６０２ｄの処理により、利用者履歴情報が発見された場合には、来店回数、購入回数などを意味するカウンタをインクリメントする（ＳＣ−３）。
【０１４９】
つぎに、店頭端末装置６００は、店舗情報発行手段６０２ｅの処理により、店舗ＩＤに対応する店舗広告情報配信サーバ装置５００のアドレスと、対応する復号鍵と、再生を行う装置の指示命令とを携帯電話装置２００に通知する（ＳＣ−４）。
【０１５０】
つづいて、携帯電話装置２００は、店舗情報取得手段２０２ｆの処理により、店舗ＩＤと再生装置の指示命令とアドレスとを少なくとも含む店舗情報を取得し（ＳＣ−４）、店舗情報取得手段２０２ｆの処理により、取得した店舗情報を行動履歴保持手段２０６ａの行動履歴保持ファイルに格納する。
【０１５１】
つぎに、携帯電話装置２００は、再生装置判定手段２０２ｊの処理により、行動履歴保持手段２０６ａに記憶された再生装置の指示命令と再生装置選択手段２０２ｇの処理に従い、再生装置を判断する（ＳＣ−５、１３）。すなわち、店頭端末装置６００からの再生装置指示命令が「指定なし」の場合は、再生装置選択手段２０２ｇの処理により、利用者に選択させた再生装置を、再生すべき装置として判断する。
【０１５２】
ここで、携帯電話装置２００は、再生装置判定手段２０２ｊの処理により、ｉ）端末装置１００が再生を行う装置であると選択されたと判断した場合は、行動履歴保持手段２０６ａに記憶された行動履歴保持ファイルを行動履歴送信手段２０２ｂに送り（ＳＣ−５）、ｉｉ）携帯電話装置２００が再生を行う装置であると選択されたと判断した場合は、行動履歴保持手段２０６ａに記憶された行動履歴保持ファイルを広告取得手段２０２ｃに送る（ＳＣ−１３）。
【０１５３】
まず、図５と図８を参照して、ｉ）端末装置１００が再生を行う装置であると選択されたと判断した場合の説明を行い、つぎに、図４と図８を参照して、ｉｉ）携帯電話装置２００が再生を行う装置であると選択されたと判断した場合の説明を行う。
【０１５４】
すなわち、図５、図８に示すように、利用者が店舗から自宅に帰宅した場合等に、携帯電話装置２００は、行動履歴送信手段２０２ｂの処理により、行動履歴保持手段２０６ａに記憶された行動履歴保持ファイルを端末装置１００に送信し、端末装置１００は、行動履歴受信手段１０２ａの処理により、携帯電話装置２００から送信された行動履歴保持ファイルを受信する（ＳＣ−５）。
【０１５５】
そして、端末装置１００は、行動履歴受信手段１０２ａの処理により、携帯ＩＤと対応付けて受信した行動履歴保持ファイルを履歴保持手段（復号鍵を含む）１０６ｅに格納する（ＳＣ−６）。
【０１５６】
また、端末装置１００は、広告取得手段１０２ｃの処理により、復号鍵を含む履歴保持手段１０６ｅに記憶されたアドレスを用いて、ネットワーク３００を介して店舗広告情報配信サーバ装置５００にアクセスし、店舗ＩＤに対応する店舗広告情報配信サーバ装置５００に広告情報のダウンロード要求を送信する（ＳＣ−７）。
【０１５７】
ダウンロード要求を端末装置１００から受け取った店舗広告情報配信サーバ装置５００は、配布広告判定手段の処理により、受け取った店舗ＩＤに基づいた広告情報とそれに付随するクーポン情報を広告記憶手段から読み出し、情報発行手段の処理により、端末装置１００に広告情報とクーポン情報を送信する（ＳＣ−８）。
【０１５８】
そして、端末装置１００は、広告取得手段１０２ｃの処理により、店舗ＩＤに対応する広告情報およびクーポン情報を店舗広告情報配信サーバ装置５００から取得し、広告取得手段１０２ｃの処理により、携帯ＩＤごとに取得した広告情報およびクーポン情報を広告蓄積データベース１０６ｂに格納する（ＳＣ−８）。ここで、自動ダウンロードには制限が設けられている。すなわち、広告取得手段１０２ｃは、１）店舗ＩＤごとの優先順位、２）ダウンロードのデータ量、３）ダウンロード時間、に従って優先順位付けして、広告情報およびクーポン情報を店頭端末装置６００から取得する。
【０１５９】
つぎに、端末装置１００の近くにある、携帯電話装置２００は、携帯ＩＤ送信手段２０２ｅの処理により、携帯ＩＤを送信し（ＳＣ−９）、さらに、広告視聴要求を送信する（ＳＣ−９）。
【０１６０】
ここで、端末装置１００は、携帯ＩＤ受信手段１０２ｆの処理により、受信した携帯ＩＤと、広告再生手段１０２ｄの処理にかかる広告情報の携帯ＩＤとを、視聴判定手段１０２ｇの処理により照合することにより判定し、一致しないと判断した場合には、広告再生手段１０２ｄの処理を停止させる（ＳＣ−１０）。
【０１６１】
つぎに、携帯ＩＤ受信手段１０２ｆの処理により携帯ＩＤと広告視聴要求を受信した端末装置１００は、広告再生手段１０２ｄの処理により、広告蓄積データベース１０６ｂに記憶された広告情報を再生して表示装置に表示する際に、クーポン付広告復号手段１０２ｋの処理により、広告蓄積データベース１０６ｂに記憶された暗号化再生情報とクーポン情報を読み出し、復号鍵を含む履歴保持手段１０６ｅに記憶した復号鍵を用いて、暗号化されたクーポン情報を復号化する（ＳＣ−１１）。
【０１６２】
そして、端末装置１００は、広告再生手段１０２ｄの処理により、復号化された広告情報を再生して表示装置に表示する（ＳＣ−１１）。
【０１６３】
つぎに、広告再生手段１０２ｄは、視聴手段１０２ｈの処理による広告情報が再生表示されると、視聴完了確認手段１０２ｉの処理により、再生が終了したことを確認し、復号化したクーポン情報をクーポン保持手段１０６ｃに格納する（ＳＣ−１１）。
【０１６４】
そして、端末装置１００は、クーポン送信手段１０２ｅの処理により、クーポン情報と店舗ＩＤを携帯電話装置２００に送信し、携帯電話装置２００は、クーポン受信手段２０２ｄの処理により、クーポン情報と店舗ＩＤを受信する（ＳＣ−１２）。
【０１６５】
つぎに、図４と図８を参照して、携帯電話装置２００が再生装置判定手段２０２ｊの処理により、ｉｉ）携帯電話装置２００が再生を行う装置であると選択されたと判断した場合の説明を行う。
【０１６６】
すなわち、図４、図８に示すように、携帯電話装置２００は、再生装置判定手段２０２ｊの処理により、再生装置選択手段２０２ｇにより携帯電話装置２００が再生を行う装置であると選択されたと判断した場合は、行動履歴保持手段２０６ａに記憶された行動履歴保持ファイルを広告取得手段２０２ｃに送る（ＳＣ−１３）。
【０１６７】
そして、携帯電話装置２００は、広告取得手段２０２ｃの処理により、行動履歴保持手段２０６ａに記憶されたアドレスを用いて、ネットワーク３００を介して店舗広告情報配信サーバ装置５００にアクセスし、店舗ＩＤに対応する店舗広告情報配信サーバ装置５００に広告情報のダウンロード要求を送信する（ＳＣ−１３）。
【０１６８】
ダウンロード要求を携帯電話装置２００から受け取った店舗広告情報配信サーバ装置５００は、配布広告判定手段の処理により、受け取った店舗ＩＤに基づいた広告情報とそれに付随するクーポン情報を広告記憶手段から読み出し、情報発行手段の処理により、携帯電話装置２００に広告情報とクーポン情報を送信する（ＳＣ−１４）。
【０１６９】
そして、携帯電話装置２００は、広告取得手段２０２ｃの処理により、店舗ＩＤに対応する広告情報およびクーポン情報を店舗広告情報配信サーバ装置５００から取得し、取得した広告情報およびクーポン情報を広告蓄積データベース２０６ｂに格納する（ＳＣ−１４）。
【０１７０】
つぎに、携帯電話装置２００は、広告再生手段２０２ｍの処理により、広告蓄積データベース２０６ｂに記憶された広告情報を再生して表示装置に表示する際に、クーポン付広告復号手段２０２ｋの処理により、広告蓄積データベース２０６ｂに記憶された暗号化された再生情報とクーポン情報を読み出し、行動履歴保持手段２０６ａに記憶した復号鍵を用いて、暗号化されたクーポン情報を復号化する（ＳＣ−１５）。
【０１７１】
そして、広告再生手段２０２ｍは、視聴手段２０２ｈの処理により、復号化された広告情報を再生して表示装置に表示する（ＳＣ−１６）。
【０１７２】
つぎに、広告再生手段２０２ｍは、視聴手段２０２ｈの処理による広告情報が再生表示されると、視聴完了確認手段２０２ｉの処理により、再生が終了したことを確認し、復号化したクーポン情報をクーポン保持手段２０６ｃに格納する（ＳＣ−１６）。
【０１７３】
最後に、利用者が携帯電話装置２００を持って来店した場合等に、携帯電話装置２００は、視聴手段２０２ｈの処理により、店頭端末装置６００にクーポン情報を送信し、さらに、携帯ＩＤ送信手段２０２ｅの処理により、携帯ＩＤを店頭端末装置６００に送信する（ＳＣ−１７）。
【０１７４】
そして、店頭端末装置６００は、クーポン受信手段６０２ａの処理によりクーポン情報と、携帯ＩＤ受信手段６０２ｃの処理により携帯ＩＤとを受信する（ＳＣ−１７）。
【０１７５】
つぎに、店頭端末装置６００は、クーポン真贋判断手段６０２ｂの処理により、店舗内データベース６０６ａに格納された携帯ＩＤを参照してクーポンの真贋を判断し、本物と判断した場合には、利用者に割引などの特典を提供する（ＳＣ−１７）。
【０１７６】
最後に、店頭端末装置６００は、制御部の処理により、店舗内データベース６０６ａに利用者情報を書き込み更新し（ＳＣ−１７）、次回配信する広告情報にフィードバックする。
【０１７７】
以上で、実施の形態３における処理の詳細である。
【０１７８】
以上で、本実施の形態の処理の詳細な説明を終える。
［実施例１］
実施の形態１における実施例を、図９を参照して説明する。図９は、実施の形態１における実施例を示す概念図である。
【０１７９】
実施例１では、利用者の行動範囲に連動した配信を行うことができる。この行動範囲連動配信技術を実現化するため、店舗側は、予め次のことを行う。１）キー認証局より店舗を識別するための店舗ＩＤを取得する。２）広告情報を作成する。３）広告情報を店舗広告情報配信サーバ装置５００に登録する。４）店舗ディレクトリサーバ装置４００に店舗の位置、店舗ＩＤ、店舗広告情報配信サーバ装置５００のアドレス、キー認証局が発行した復号鍵、を登録する。
【０１８０】
図９に示すように、まず、利用者が携帯電話装置２００を持ち歩くことで、携帯電話装置２００は、ＧＰＳ等を利用して利用者が行動した位置情報を記憶する（ＳＤ−１）。すなわち、携帯電話装置２００は、位置検知手段２０２ａの処理により、位置情報を検知し、行動履歴保持手段２０６ａに格納することにより実現する。
【０１８１】
つぎに、利用者が携帯電話装置２００を家に持ち帰ることで、携帯電話装置２００は、記憶した位置情報を端末装置１００に通知する（ＳＤ−２）。すなわち、携帯電話装置２００は、行動履歴送信手段２０２ｂの処理により、行動履歴保持手段２０６ａに記憶した位置情報を含む行動履歴保持ファイルを端末装置１００に送信することで実現する。
【０１８２】
つづいて、端末装置１００は、位置情報に基づいてダウンロードすべき広告の設定（フィルタリング）を行う（ＳＤ−３）。すなわち、端末装置１００は、行動履歴受信手段１０２ａの処理により、受信した行動履歴保持ファイルを携帯ＩＤごとに履歴保持手段１０６ａに格納することにより実現する。
【０１８３】
そして、端末装置１００は、インターネットなどのネットワーク３００を介して店舗ディレクトリサーバ装置４００と店舗広告情報配信サーバ装置５００に接続し、位置情報から店舗広告とクーポン情報を取得する。すなわち、端末装置１００は、店舗情報取得手段１０２ｂの処理により、履歴保持手段１０６ａに記憶された位置情報を店舗ディレクトリサーバ装置４００に送り、店舗ディレクトリサーバ装置４００は、位置情報に応じた店舗ＩＤとアドレスと復号鍵を端末装置１００に送信し、次に広告取得手段１０２ｃの処理により、受信したアドレスに基づいて店舗広告情報配信サーバ装置５００にアクセスし、店舗広告情報とクーポン情報をダウンロードすることにより実現する。
【０１８４】
つづいて、利用者は店舗広告を視聴する（ＳＤ−５）。すなわち、端末装置１００が、クーポン付広告復号手段１０２ｋの処理により、広告蓄積データベース１０６ｂに記憶した広告情報とクーポン情報を、復号鍵を用いて復号化し、広告再生手段１０２ｄの処理より、広告情報を再生することにより実現する。
【０１８５】
ここで、図１０は広告再生表示例とクーポン情報表示例を示した図である。図１０のように、端末装置１００に接続されたテレビモニタなどの出力装置に、一定時間ＣＭ（広告）が流れた後、クーポン情報が再生され、出力装置に表示される。図１０に示すように、利用者は行動範囲にあるケーキショップの情報を動画などで視聴することができる上、見終わったあとクーポン情報を入手することができる。
【０１８６】
つぎに、端末装置１００は、店舗ＩＤとクーポン情報を携帯電話装置２００に送信する（ＳＤ−６）。すなわち、端末装置１００は、クーポン送信手段１０２ｅの処理により、クーポン保持手段１０６ｃに記憶された店舗ＩＤとクーポン情報を端末装置１００に送信し、携帯電話装置２００が、クーポン受信手段２０２ｄの処理により、店舗ＩＤとクーポン情報を受信することにより実現する。
【０１８７】
最後に、利用者は、携帯電話装置２００を店頭に持ち込み、店頭端末装置６００と接続させることでクーポン情報に含まれる割引サービスなどの特典を受ける（ＳＤ−７）。すなわち、携帯電話装置２００が、視聴手段２０２ｈの処理により、店頭端末装置６００に店舗ＩＤとクーポン情報を送信し、店頭端末装置６００が、配信情報判定手段６０２ｄの処理により、店舗ＩＤとクーポン情報を受信し、配信情報判定手段６０２ｄが店舗内データベース６０６ａを参照し、クーポン情報の真贋を判断することにより実現する。
【０１８８】
以上で、実施例１の説明を終える。
［実施例２］
実施の形態２における実施例を、図１１を参照して説明する。図１１は、実施の形態２における実施例を示す概念図である。
【０１８９】
実施例２では、利用者の来店実績に連動した配信を行うことができる。この来店実績連動配信技術を実現するため、店舗側は、予め次のことを行う。１）店舗の店舗広告情報配信サーバ装置５００に来店回数や購入回数等に応じた広告情報を作成する。２）キー認証局より発行された暗号鍵で広告をそれぞれ暗号化する。３）広告情報を店舗広告情報配信サーバ装置５００に登録する。
【０１９０】
そして、図１１に示すように、まず、利用者が店頭に携帯電話装置２００を持ち寄り、店頭端末装置６００と通信させることで、カウンタ情報や広告復号鍵を更新する（ＳＥ−８）。すなわち、携帯電話装置２００が、携帯ＩＤ送信手段２０２ｅの処理により、携帯ＩＤを店頭端末装置６００に送信し、店頭端末装置６００は、店舗情報発行手段６０２ｅの処理により、携帯電話装置２００から携帯ＩＤを受信し、配信情報判定手段６０２ｄの処理により、店舗内データベース６０６ａに対して携帯ＩＤを検索して、携帯ＩＤに関連付けられた利用者履歴情報を読み出す、そして、来店回数などを表すカウンタをインクリメントし、配信情報判定手段６０２ｄの処理により、店舗ＩＤとカウンタに応じた復号鍵と店舗広告情報配信サーバ装置５００のアドレスを携帯電話装置２００に送信することにより実現する。
【０１９１】
ここで、通信を開始するか否かは、利用者の携帯電話装置２００が判断する。すなわち、携帯電話装置２００の制御部が利用者に通信を行うか否かを設定させることにより実現する。また、ここで、上記店舗ＩＤは、系列店で同じＩＤを設定しておき、系列店全体の来店実績を管理できるよう構成されている。また、カウンタに応じた復号鍵は、キー認証局で発行された暗号鍵により暗号化した広告情報を復号化するためのものであり、カウンタに応じた広告情報と対応している。また、上記店舗広告情報配信サーバ装置５００のアドレスは、店舗ごと、カウンタに応じたランクごとに変更されているので、利用者は、自分よりカウンタの大きい人や小さい人のクーポン情報（特典サービス）は、知ることができないように構成される。
【０１９２】
つぎに、利用者は、携帯電話装置２００を家に持ち帰ることで、端末装置１００は情報を更新する（ＳＥ−２）。すなわち、携帯電話装置２００が、行動履歴送信手段２０２ｂの処理により、行動履歴保持手段２０６ａに格納された店舗ＩＤや復号鍵を含む行動履歴保持ファイル店頭端末装置６００に送信し、端末装置１００は、行動履歴受信手段１０２ａの処理により、行動履歴ファイルを受信し、復号鍵を含む履歴保持手段１０６ｅに記憶された携帯ＩＤごとの履歴保持ファイルを更新することにより、実現する。
【０１９３】
そして、端末装置１００は、位置情報に基づいてダウンロードすべき広告の設定（フィルタリング）を行う（ＳＥ−３）。すなわち、端末装置１００は、行動履歴受信手段１０２ａの処理により、受信した行動履歴保持ファイルを携帯ＩＤごとに復号鍵を含む履歴保持手段１０６ｅに格納することにより実現する。
【０１９４】
つづいて、端末装置１００は、インターネットなどのネットワーク３００を介して店舗広告情報配信サーバ装置５００に接続し、顧客のランクに応じた店舗広告とクーポン情報を取得する（ＳＥ−４）。すなわち、端末装置１００は、広告取得手段１０２ｃの処理により、店舗広告情報配信サーバ装置５００にアクセスし、来店回数や累積購入金額になど利用者履歴情報に応じた店舗広告とクーポン情報をダウンロードすることにより実現する。
【０１９５】
そこで、利用者は店舗広告を視聴する（ＳＥ−５）。すなわち、端末装置１００が、クーポン付広告復号手段１０２ｋの処理により、広告蓄積データベース１０６ｂに記憶した広告情報とクーポン情報を、復号鍵を用いて復号化し、広告再生手段１０２ｄの処理より、広告情報を再生することにより実現する。
【０１９６】
つぎに、端末装置１００は、店舗ＩＤとクーポン情報を携帯電話装置２００に送信する（ＳＥ−６）。すなわち、端末装置１００は、クーポン送信手段１０２ｅの処理により、クーポン保持手段１０６ｃに記憶された店舗ＩＤとクーポン情報を端末装置１００に送信し、携帯電話装置２００が、クーポン受信手段２０２ｄの処理により、店舗ＩＤとクーポン情報を受信することにより実現する。
【０１９７】
そして、利用者は、携帯電話装置２００を店頭に持ちより、店頭端末装置６００と接続させることでクーポン情報に含まれる割引サービスなどの特典を受ける（ＳＥ−７）。すなわち、携帯電話装置２００が、視聴手段２０２ｈの処理により、店頭端末装置６００に店舗ＩＤとクーポン情報を送信し、店頭端末装置６００が、配信情報判定手段６０２ｄの処理により、店舗ＩＤとクーポン情報を受信し、配信情報判定手段６０２ｄが６０６ｄを参照し、クーポン情報の真贋を判断することにより実現する。
【０１９８】
そして、再び、携帯電話装置２００を店頭に持ち寄ったことで、カウンタ情報と広告復号鍵を更新する（ＳＥ−８）。これにより、利用者の来店回数等により広告やクーポン情報を変更するため、リピータを獲得し易くなり、ＣＲＭ（Ｃｕｓｔｏｍｅｒ  Ｒｅｌａｔｉｏｎｓｈｉｐ  Ｍａｎａｇｅｍｅｎｔ）を構築することができる。また、顧客を携帯ＩＤで管理することにより、個人を特定することができず、匿名性を維持することができる。
【０１９９】
以上で、実施例２の説明を終える。
［実施例３］
実施の形態３における実施例を、図１２を参照して説明する。図１２は、実施の形態３における実施例を示す概念図である。
【０２００】
実施例３では、端末装置１００に接続されたテレビ等と携帯電話装置２００とが連携し、視聴方法を選択させることができる。この視聴方法選択技術を実現するため、店舗側は、予め視聴する装置を想定して広告情報を作成する。すなわち、店舗側は、配信したい広告情報に応じて画面の大きさ、転送速度、秘密性等を考慮して、再生装置を設定する。例えば、一台の端末装置１００を家族で使用する場合、個人向けに送りたい広告情報は、携帯装置で再生するよう選択する。
【０２０１】
図１２に示すように、例えば店舗業者「スーパー」が、配信する広告情報を大画面で見てもらいたい場合、端末装置１００で広告情報を再生表示するよう指定する。すなわち、店頭端末装置６００の制御部は、店舗業者に入力手段を介して店舗内データベース６０６ａに再生装置指示命令として「端末装置」を入力させる。そして、店頭端末装置６００は、店舗情報発行手段６０２ｅの処理により、再生装置指示命令を携帯電話装置２００に送信する。携帯電話装置２００は、店舗情報取得手段２０２ｆの処理により、再生装置指示命令を受信すると行動履歴保持手段２０６ａに格納する。そして、携帯電話装置２００は、再生装置判定手段２０２ｊの処理により、行動履歴保持ファイルに格納された再生装置指示命令を読み取り、再生を行う装置を「端末装置」と判定し、行動履歴送信手段２０２ｂに処理を送る。そして、携帯電話装置２００は、行動履歴送信手段２０２ｂの処理により、端末装置１００に行動履歴保持ファイルを送信することにより、再生装置指示機能を実現する。
【０２０２】
また、図１２に示すように、例えば店舗業者「セレクトショップ」が、配信する広告情報を大画面でも携帯電話でも見てもらいたい場合、指定を行わない。すなわち、店頭端末装置６００の制御部は、店舗業者に入力手段を介して店舗内データベース６０６ａに再生装置指示命令として「限定なし」を入力させる。一方、携帯電話装置２００−１の利用者は、「あの服の値段は内緒にしたい」等セレクトショップからの情報を個人視聴に限定したい場合、携帯電話装置２００−１に再生装置として「携帯電話装置」を設定する。すなわち、携帯電話装置２００−１は、再生装置選択手段２０２ｇの処理により、利用者に入力装置を介して再生装置として「携帯電話装置」を設定させる。そして、店頭端末装置６００との送受信後、携帯電話装置２００は、再生装置判定手段２０２ｊの処理により、行動履歴保持ファイルに格納された店頭端末装置６００からの再生装置指示命令を読み取り、「限定なし」と判断し、次に再生装置選択手段２０２ｇに従う。つまり、携帯電話装置２００は、再生装置判定手段２０２ｊの処理により、再生装置選択手段２０２ｇによって設定された再生装置を「携帯電話装置」と判断し、広告取得手段２０２ｃに処理を送る。このことにより、携帯電話装置２００で広告情報とクーポン情報がダウンロードされ、再生されるので、利用者は、秘密にしたい情報を個人の端末で視聴することができる。
【０２０３】
また、図１２に示すように、例えば店舗業者「飲み屋」が、新規メニューをこっそり教えたい場合、携帯電話装置２００で広告情報を再生表示するよう指定する。すなわち、店頭端末装置６００の制御部は、店舗業者に入力手段を介して店舗内データベース６０６ａに再生装置指示命令として「携帯電話装置」を入力させる。そして、店頭端末装置６００と携帯電話装置２００の間で送受信があると、携帯電話装置２００は、再生装置判定手段２０２ｊの処理により、行動履歴保持ファイルに格納された再生装置指示命令を読み取り、再生を行う装置を「携帯電話装置」と判定し、広告取得手段２０２ｃに処理を送る。このことにより、携帯電話装置２００で広告情報とクーポン情報がダウンロードされ、再生されるので、店舗業者は、秘密にしたい情報を個人の端末で視聴させることができる。
【０２０４】
以上で、実施例３の説明を終える。
［実施例４］
視聴判定機能による実施例を、図１３を参照して説明する。図１３は、実施の形態４における実施例を示す概念図である。
【０２０５】
実施例４では、端末装置１００に接続されたテレビ等と携帯電話装置２００とを連携させ、行動履歴ファイル作成の対象となった利用者と、再生表示される広告の視聴者の同一性を担保する。
【０２０６】
すなわち、端末装置１００は複数の利用者によって共有され、端末装置１００に接続された表示装置が複数の者によって視聴されうるので、端末装置１００は、視聴判定機能を実現し、位置情報や店舗情報を端末装置１００に送った携帯端末の利用者と、位置情報や店舗情報に基づいた広告情報を表示装置に再生表示する場合の利用者を一致させる。
【０２０７】
図１３に示すように、端末装置１００は、近くに携帯電話装置２００−２があると判断すると携帯電話装置２００−２の携帯ＩＤを読み取り、同一携帯ＩＤに基づく広告情報があれば、テレビ放送再生中にポップアップ表示する。そして、利用者が広告再生キー入力を行った場合、端末装置１００は記憶されている広告表示を再生する。
【０２０８】
すなわち、携帯電話装置２００−２が、携帯ＩＤ送信手段２０２ｅの処理により、携帯ＩＤを送信すると、端末装置１００は、携帯ＩＤ受信手段１０２ｆの処理により携帯ＩＤを受信し、視聴判定手段１０２ｇの処理により、広告蓄積データベース１０６ｂに当該携帯ＩＤに係る広告情報があるか検索する、更新した未再生の広告表示情報があれば、視聴判定手段１０２ｇの処理により、出力装置のモニタ画面にポップアップ表示を行うよう制御する。そして、端末装置１００は、広告再生手段１０２ｄの処理により、利用者に広告再生キーを入力させる。利用者からの広告再生キー入力があった場合には、端末装置１００は、広告再生手段１０２ｄの処理により、当該携帯ＩＤに係る広告情報を再生し、表示画面に出力することにより実現する。
【０２０９】
また、図１３に示すように、端末装置１００は、広告表示メニュー表示キーの入力があると、近くに携帯電話装置２００があるかどうか判断し、ある場合には携帯ＩＤを読み取り、当該携帯ＩＤに係る広告情報を読み出す。そして、利用者が、表示された広告表示メニューから項目を選択した場合に、項目に応じた広告情報を選択し、再生表示する。
【０２１０】
すなわち、端末装置１００は、広告再生手段１０２ｄの処理により、利用者に、広告表示メニュー表示キーを入力させる。そして、携帯ＩＤ送信手段２０２ｅの処理により、携帯ＩＤを送信すると、近くに携帯電話装置２００−２があると判定し、当該携帯ＩＤにかかる広告情報を広告蓄積データベース１０６ｂに対して検索する。次に、端末装置１００は、広告再生手段１０２ｄの処理により、利用者に表示された広告表示メニューの項目を入力させる。そして、端末装置１００は、広告再生手段１０２ｄの処理により、当該携帯ＩＤに係る広告情報の中から、選択された項目に該当する広告情報を再生し、表示画面に出力することにより実現する。
【０２１１】
上記視聴判定処理を行うことにより、端末装置１００が利用者の共有にかかる場合でも、再生表示される広告の視聴者の同一性を担保し、利用者が広告を表示させたいときに、自己の行動履歴保持ファイルに基づく広告を表示させることができる。
【０２１２】
以上で、実施例４の説明を終える。
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【０２１３】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０２１４】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０２１５】
また、端末装置１００、携帯電話装置２００、店舗ディレクトリサーバ装置４００または店舗広告情報配信サーバ装置５００に関して、図示の各構成要素は機能概略的なものであり、必ずしも物理的に図示の如く構成されていることを要しない。
【０２１６】
例えば、端末装置１００、携帯電話装置２００、店舗ディレクトリサーバ装置４００または店舗広告情報配信サーバ装置５００の各装置が備える処理機能、特に制御部にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。尚、プログラムは、後述する記録媒体に記録されており、必要に応じて端末装置１００または携帯電話装置２００に機械的に読み取られる。すなわち、ＲＯＭまたはＨＤなどの記憶部などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０２１７】
また、このコンピュータプログラムは、端末装置１００または携帯電話装置２００に対して任意のネットワーク３００を介して接続されたアプリケーションプログラムサーバに記憶されていてもよく、必要に応じてその全部または一部をダウンロードすることも可能である。
【０２１８】
また、本発明に係るプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【０２１９】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０２２０】
記憶部に格納される各種のデータベース等は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベースやウェブページ用ファイル等を格納する。
【０２２１】
また、端末装置１００または携帯電話装置２００は、既知のパーソナルコンピュータ、ワークステーション等の情報処理装置を接続し、該情報処理装置に本発明の方法を実現させるソフトウェア（プログラム、データ等を含む）を実装することにより実現してもよい。
【０２２２】
更に、装置の分散・統合の具体的形態は図示するものに限られず、その全部または一部を、各種の付加等に応じた任意の単位で、機能的または物理的に分散・統合して構成することができる。
【産業上の利用可能性】
【０２２３】
以上のように、本発明にかかる広告情報送信システム、および広告情報送信方法は、情報技術分野に有用であり、特に、携帯電話通信産業に適している。
【図面の簡単な説明】
【０２２４】
【図１】本発明の基本原理を示す基本システム構成図
【図２】本実施の形態１における、本発明が適用される本システムの論理構成の一例を示す論理ブロック図
【図３】本実施の形態２における、本発明が適用される本システムの論理構成の一例を示す論理ブロック図
【図４】本実施の形態３における、本発明が適用される本システムの論理構成の一例を示す論理ブロック図
【図５】本実施の形態３における、本発明が適用される本システムの論理構成の一例を示す論理ブロック図
【図６】本実施の形態１における本システムの通信制御シーケンス図
【図７】本実施の形態２における本システムの通信制御シーケンス図
【図８】本実施の形態３における本システムの通信制御シーケンス図
【図９】実施の形態１における実施例を示す概念図
【図１０】広告再生表示例とクーポン情報表示例を示した図
【図１１】実施の形態２における実施例を示す概念図
【図１２】実施の形態３における実施例を示す概念図
【図１３】実施の形態４における実施例を示す概念図
【符号の説明】
【０２２５】
１００    端末装置
１０２ａ    行動履歴受信手段
１０２ｂ    店舗情報取得手段
１０２ｃ    広告取得手段
１０２ｄ    広告再生手段
１０２ｅ    クーポン送信手段
１０２ｆ    携帯ＩＤ受信手段
１０２ｇ    視聴判定手段
１０２ｈ    視聴手段
１０２ｉ    視聴完了確認手段
１０２ｋ    クーポン付広告復号手段
１０６ａ    履歴保持手段
１０６ｂ    広告蓄積データベース
１０６ｃ    クーポン保持手段
１０６ｄ    復号鍵保持手段
１０６ｅ    復号鍵を含む履歴保持手段
２００    携帯電話装置
２０２ａ    位置検知手段
２０２ｂ    行動履歴送信手段
２０２ｃ    広告取得手段
２０２ｄ    クーポン受信手段
２０２ｅ    携帯ＩＤ送信手段
２０２ｆ    店舗情報取得手段
２０２ｇ    再生装置選択手段
２０２ｈ    視聴手段
２０２ｉ    視聴完了確認手段
２０２ｊ    再生装置判定手段
２０２ｋ    クーポン付広告復号手段
２０２ｍ    広告再生手段
２０６ａ    行動履歴保持手段
２０６ｂ    広告蓄積データベース
２０６ｃ    クーポン保持手段
３００    ネットワーク
４００    店舗ディレクトリサーバ装置
５００    店舗広告情報配信サーバ装置
６００    店頭端末装置
６０２ａ    クーポン受信手段
６０２ｂ    クーポン真贋判断手段
６０２ｃ    携帯ＩＤ受信手段
６０２ｄ    配信情報判定手段
６０６ａ    店舗内データベース
【図１】
2008003982.tif 000003
【図２】
2008003982.tif 000004
【図３】
2008003982.tif 000005
【図４】
2008003982.tif 000006
【図５】
2008003982.tif 000007
【図６】
2008003982.tif 000008
【図７】
2008003982.tif 000009
【図８】
2008003982.tif 000010
【図９】
2008003982.tif 000011
【図１０】
2008003982.tif 000012
【図１１】
2008003982.tif 000013
【図１２】
2008003982.tif 000014
【図１３】
2008003982.tif 000015